(57)【要約】【目的】  本発明は、簡略な構成で、かつ安価とし、２個のテーブルを堅固に接続し得るテーブル間の補助天板接続構造を実現することを目的としている。【構成】  このため、テーブルにおいて、テーブルの天板裏面に取り付けられるスライドアーム部と、このスライドアーム部を天板外部に引き出しあるいは天板裏面に収納可能とする支持部と、補助天板と、この補助天板の裏面の一端側に取り付けられる係合部と、補助天板の裏面の他端側に取り付けられる少なくとも１組のロック機構とを備え、前記テーブルのスライドアーム部を対峙させて２個のテーブルを配置した際に、スライドアーム部を接近するように引き出し、引き出したスライドアーム部の一端側に前記係合部を係合させた後に、スライドアーム部の他端側を前記ロック機構にてロックし、前記補助天板を２個のテーブル間に固定する構造とした。【選択図】        図１
2009022687.tif 000002
【特許請求の範囲】
【請求項１】
テーブルにおいて、テーブルの天板裏面に取り付けられるスライドアーム部と、このスライドアーム部を天板外部に引き出しあるいは天板裏面に収納可能とする支持部と、補助天板と、この補助天板の裏面の一端側に取り付けられる係合部と、補助天板の裏面の他端側に取り付けられる少なくとも１組のロック機構とを備え、前記テーブルのスライドアーム部を対峙させて２個のテーブルを配置した際に、スライドアーム部を接近するように引き出し、引き出したスライドアーム部の一端側に前記係合部を係合させた後に、スライドアーム部の他端側を前記ロック機構にてロックし、前記補助天板を２個のテーブル間に固定する構造としたことを特徴とするテーブル間の補助天板接続構造。
【請求項２】
前記スライドアーム部は、テーブルの天板裏面を天板に対して平行にスライド移動する２本のアーム部と、これらのアーム部の先端を接続する第１接続部と、アーム部の後端を接続する第２接続部とを備え、前記第１接続部の両端に前記補助天板案内用のコロを設けたことを特徴とする請求項１に記載のテーブル間の補助天板接続構造。
【発明の詳細な説明】
【技術分野】
【０００１】
この発明はテーブル間の補助天板接続構造に係り、特にテーブルの天板間に補助天板を載置し、２個のテーブルを堅固に接続するテーブル間の補助天板接続構造に関するものである。
【背景技術】
【０００２】
テーブルは、椅子を使用するテーブルと椅子を使用しないテーブルとに大別される。
例えば、椅子を使用するテーブルにおいては、一般に食卓用テーブルが考えられる。
そして、この食卓用テーブルには、一般家庭にて使用されるものや飲食店などの店舗で使用されるものがある。
店舗でのテーブルとしては、２人用や４人用のテーブルが主に使用されているが、大人数用のテーブルを使用する店舗もある。
例えば、大人数用のテーブルには、ファーストフード店の半円形状テーブルや中華料理店の円形回転テーブルなどの種々形状のものがある。
【０００３】
【特許文献１】特開２００６−３４６３６１号公報
【特許文献２】特開２００６−３４６３６２号公報
【発明の開示】
【発明が解決しようとする課題】
【０００４】
ところで、従来のテーブル、例えば２人用や４人用などの比較的小型のテーブルにおいては、大勢のグループ客が来店した際に、テーブル同士を連絡させて大人数用として対応している。
このとき、テーブル同士を堅固に連結しない場合と、テーブル同士を堅固に連結する場合とが考えられる。
【０００５】
そして、テーブル同士を堅固に連結しない場合には、床面の凹凸状況やテーブルの寸法誤差などによって接触させたテーブルの天板高さ位置が異なる場合が多々あり、接触部位に食物入りの皿や飲料入りのコップなどを載置することができず、使い勝手が悪いという不都合がある。
【０００６】
また、テーブル同士を堅固に連結する場合には、テーブル同士を直接接続する場合と、テーブル間に接続用の補助天板を介設する場合とが考えられる。
【０００７】
そして、テーブル同士を直接接続する場合には、一方のテーブルを移動させてテーブル同士の天板を接触させた後に、天板同士を紐や金具などの接続具を使用してテーブル同士を堅固に接続する方策が考えられる。
しかし、テーブル製作の際に接続機能に対応した構造とされていないため、テーブル完成後の追加作業にて接続機能を付加する必要がある。
このとき、面倒な穿孔加工やその他の作業を簡単に行うことが可能なものであれば、何ら不具合はないが、テーブル同士を直接する接続するための接続具の開発がなされておらず、テーブルの所有者の裁量によるのが現状である。
この結果、テーブルの所有者が自己の技術力を駆使して接続具を実現する必要があるという不都合がある。
【０００８】
また、テーブル間に接続用の補助天板を介設する場合には、テーブルの天板の側面部位にスライド用溝部を形成し、このスライド用溝部間に補助天板を差し込み、テーブルの天板同士を補助天板を介して接続する方策などが考えられる。
そして、２個のテーブルを固定した状態に設置する場合においては、テーブル間の距離と補助天板の幅寸法とを合致させる必要があるため、設定作業が困難となるという不都合がある。
また、２個のテーブルを固定しない状態とした場合においては、天板の差し込み作業時に２個のテーブルが移動しないように支える必要があり、使い勝手が悪いという不都合がある。
【０００９】
更に、上述したような補助天板を利用してテーブルの全天板面積を拡大可能なものとしては、２分割した天板と１枚の補助天板とにて構成し、２分割した天板のみでの使用を可能とするとともに、全天板面積を拡大させる際に、天板間を離間させ、これらの天板間に補助天板を載置して使用するものがある。
しかし、このような構成を有するものの場合には、予め２分割した天板の使用時と補助天板を使用する拡大使用時との２通りを実現できる構成を必要とするため、構成が複雑となり、製作が困難で、実用上不利であるとともに、コストが大となり、高価となって経済的にも不利であるという不都合がある。
【００１０】
この発明の目的は、簡略な構成で、かつ安価とし、２個のテーブルを堅固に接続し得るテーブル間の補助天板接続構造を実現することにある。
【課題を解決するための手段】
【００１１】
そこで、この発明は、上述不都合を除去するために、テーブルにおいて、テーブルの天板裏面に取り付けられるスライドアーム部と、このスライドアーム部を天板外部に引き出しあるいは天板裏面に収納可能とする支持部と、補助天板と、この補助天板の裏面の一端側に取り付けられる係合部と、補助天板の裏面の他端側に取り付けられる少なくとも１組のロック機構とを備え、前記テーブルのスライドアーム部を対峙させて２個のテーブルを配置した際に、スライドアーム部を接近するように引き出し、引き出したスライドアーム部の一端側に前記係合部を係合させた後に、スライドアーム部の他端側を前記ロック機構にてロックし、前記補助天板を２個のテーブル間に固定する構造としたことを特徴とする。
【発明の効果】
【００１２】
以上詳細に説明した如くこの本発明によれば、テーブルにおいて、テーブルの天板裏面に取り付けられるスライドアーム部と、スライドアーム部を天板外部に引き出しあるいは天板裏面に収納可能とする支持部と、補助天板と、補助天板の裏面の一端側に取り付けられる係合部と、補助天板の裏面の他端側に取り付けられる少なくとも１組のロック機構とを備え、テーブルのスライドアーム部を対峙させて２個のテーブルを配置した際に、スライドアーム部を接近するように引き出し、引き出したスライドアーム部の一端側に係合部を係合させた後に、スライドアーム部の他端側をロック機構にてロックし、補助天板を２個のテーブル間に固定する構造とした。
従って、以下の効果を奏することができる。
（１）２個のテーブルを接続する際の使い勝手を向上し得る。
（２）ロック機構によって２個のテーブル間を補助天板により堅固に接続することができるため、接続後の安心性を向上し得る。
（３）構造が簡略であり、コストを低廉とし得る。
【発明を実施するための最良の形態】
【００１３】
以下図面に基づいてこの発明の実施例を詳細に説明する。
【実施例】
【００１４】
図１〜図１９はこの発明の実施例を示すものである。
図１〜図６において、２はテーブル、例えば椅子を使用するテーブルである。
なお、この実施例では、椅子を使用するテーブルについて説明するが、椅子を使用しないテーブルとすることも可能である。
【００１５】
前記テーブル２は、天板４と、この天板４を支持する脚部６とからなる。
このとき、前記テーブル２の天板４裏面に取り付けられるスライドアーム部８と、このスライドアーム部８を天板４外部に引き出しあるいは天板裏面に収納可能とする支持部１０と、補助天板１２と、この補助天板１２の裏面の一端側に取り付けられる係合部１４と、補助天板１２の裏面の他端側に取り付けられる少なくとも１組のロック機構１６とを備える。
そして、前記テーブル２のスライドアーム部８を対峙させて２個のテーブル２−１、２−２を配置した際に、スライドアーム部８−１、８−２を接近するように引き出し、引き出したスライドアーム部８−１、８−２の一端側に前記係合部１４を係合させた後に、スライドアーム部８−１、８−２の他端側を前記ロック機構１６にてロックし、前記補助天板１２を２個のテーブル２−１、２−２間に固定する構造とする。
【００１６】
詳述すれば、前記スライドアーム部８は、図１０〜図１２に示す如く、前記テーブル２の天板４裏面を天板４に対して平行にスライド移動する２本の対峙するアーム部１８、２０と、これらのアーム部１８、２０の先端側を接続する第１接続部２２と、アーム部１８、２０の後端側を接続する第２接続部２４とを備え、四角形状の枠体を形成するとともに、前記第１接続部２２の両端に前記補助天板案内用のコロ２６ａ、２６ｂを設けている。
これらのコロ２６ａ、２６ｂは、前記補助天板１２の接続作業あるいは接続解除作業の際に、コロ２６ａ、２６ｂ上に補助天板１２を接触させつつ、補助天板１２を案内することができるため、力のない婦女子でも作業可能である。
【００１７】
そして、前記スライドアーム部８のアーム部１８、２０の中間部位を前記支持部１０によって支持すべく、前記テーブル２の天板４裏面に取り付ける。
このとき、前記支持部１０は、図１１に示す如く、前記テーブル２の天板４裏面側に位置する平板状の第１支持部２８と、前記スライドアーム部８のアーム部１８、２０の中間部位を包持すべく、断面凹形状に折曲した第２支持部３０とからなる。
【００１８】
また、前記スライドアーム部８のアーム部１８、２０に節度機構３２を設ける。
この節度機構３２は、図１３に示す如く、本体３２−１と、この本体３２−１の一側に保持される球体状の移動子３２−２と、この移動子３２−２を外側方向に押圧する押圧スプリング３２−３とからなる。
そして、前記スライドアーム部８のアーム部１８、２０の引き出し時あるいは収納時の係合の際には、スライドアーム部８のアーム部１８、２０を移動させることにより、押圧スプリング３２−３の付勢力に抗して移動子３２−２が内側方向、つまり図１３において右側方向に押し込まれつつ移動する。
前記支持部１０側に形成される図示しない孔部や凹部などの所定位置まで移動子３２−２が移動した後には、前記押圧スプリング３２−３の付勢力によって移動子３２−２が外側方向、つまり図１３において左側方向に押し出され、移動子３２−２が前記支持部１０側の孔部や凹部などに係合するものである。
更に、前記節度機構３２の係合状態を解除する際には、前記押圧スプリング３２−３の付勢力に抗して前記スライドアーム部８のアーム部１８、２０を引き出し方向あるいは収納方向に移動させることにより、移動子３２−２が内側方向、つまり図１３において右側方向に押し込まれ、移動可能な係合解除状態となる。
このとき、前記移動子３２−２を球体状とすることによって、係合操作や係合解除操作の際に、移動子３２−２が回転することとなり、係合操作や係合解除操作を容易に行うことができる。
【００１９】
また、前記補助天板１２は、図１及び図６、図７に示す如く、前記テーブル２の天板４に対して、一体感を現出させるために、例えば同一材料かつ同一厚みを有する形状とする。
さすれば、前記補助天板１２を２個のテーブル２−１、２−２間に固定した際に、同一材料によって違和感を生ずることがなく、かつ、表面部位に凹凸が生せず、一体感のある大人数用のテーブルを現出させることができるものである。
【００２０】
更に、前記係合部１４は、図１４及び図１５に示す如く、前記補助天板１２の裏面の一端側において、例えば２個取り付けられ、前記スライドアーム部８の２本のアーム部１８、２０のいずれか一方に外側方向から係合するものである。
【００２１】
更にまた、前記ロック機構１６は、図１４及び図１６に示す如く、前記補助天板１２の裏面の他端側において、例えば２組取り付けられる。
このとき、このロック機構１６は、図１７〜図１９に示す如く、箱状に形成される本体部１６ａと、この本体部１６ａの下面に形成されるスライド移動操作用の長孔部１６ｂと、前記本体部１６ａ内において本体部１６ａの長手方向へスライド移動可能に配置されるとともに、先端下面部位に傾斜面１６ｃを形成したロック部材１６ｄと、このロック部材１６ｄの下面に形成される操作用凹部１６ｅと、前記ロック部材１６ｄを外側方向に押し出すべく付勢する付勢手段、例えばスプリング１６ｆとからなる。
そして、前記ロック機構１６のロック時には、図１７に示す如く、スプリング１６ｆの付勢力によって前記ロック部材１６ｄが外側方向に押し出され、このロック部材１６ｄの上面部位に前記スライドアーム部８の２本のアーム部１８、２０のいずれか他方を固定する。
また、前記ロック機構１６のロック解除時には、図１８に示す如く、下方部位から前記本体部１６ａの下面に形成されるスライド移動操作用の長孔部１６ｂを介して、前記ロック部材１６ｄの操作用凹部１６ｅに指先を差し込み、前記スプリング１６ｆの付勢力に抗してロック部材１６ｄを引き込む方向にスライド移動させ、ロック部材１６ｄの上面部位にて固定される前記スライドアーム部８の２本のアーム部１８、２０のいずれか他方とのロックを解除する。
これにより、前記ロック機構１６は、図１７及び図１８に示す如く、外周部位で突出する箇所は面取りを施したロック部材１６ｄの先端部位のみとなり、余計な突出部位がないため製造物責任（ＰＬ）法に対応している。
また、前記ロック機構１６において、ロック作業やロック解除作業を容易に行うことができる。
【００２２】
なお、この実施例においては、一般的なテーブル２の天板４裏面にスライドアーム部８を取り付ける、いわゆる後付方式のものとして説明したが、テーブルの製作時に今回のテーブル間の補助天板接続構造を予め考慮し、テーブルの裏面に収容凹部などを形成してスライドアーム部を天板裏面と面一状態とし、天板裏面側に突出させることなく、内蔵する構成とすることも可能である。
そして、このような場合には、テーブルの脚部を連結する桟部に切欠きを形成し、この切欠き部位をスライドアーム部の引き出し・収納スペースとして活用すれば、より一層一体的な構成とすることが可能である。
【００２３】
次に作用を説明する。
【００２４】
前記補助天板１２を２個のテーブル２−１、２−２間に配置する際には、図２に示す如く、２個のテーブル２−１、２−２を、前記スライドアーム部８−１、８−２を対峙させた状態に配置する。
そして、テーブル２−１、２−２の夫々のスライドアーム部８−１、８−２を接近する方向に引き出す。
このとき、図３の右側に位置するテーブル２−１においては、図１２に示す如く、テーブル２−１の天板４−１裏面に取り付けられる前記支持部１０によって、前記スライドアーム部８−１のアーム部１８−１、２０−１が前記テーブル２−１の天板４−１裏面を天板４−１に対して平行に、つまり図９（ｂ）及び図１２（ｂ）の矢印Ａ方向に移動する。
なお、図３の左側に位置するテーブル２−２においても、上述したテーブル２−１の場合と同様に、前記スライドアーム部８−２がスライド移動するものである。
【００２５】
また、前記補助天板１２を２個のテーブル２−１、２−２間に配置する方策としては、補助天板１２の前記係合部１４及び前記ロック機構１６の形成位置や作業者の立ち位置などによって種々考えられるが、１つの方策について説明する。
なお、この１つの方策の場合には、作業者の立ち位置はテーブル２−１、２−２の手前側及び奥側のどちらでも対応可能である。
まず、図３に示す如く、図３のテーブル２−１、２−２の手前側に補助天板１２を位置させる。
そして、２個のテーブル２−１、２−２間に現出した前記スライドアーム部８−１、８−２の対峙する第１接続部２２の上面を利用して、補助天板１２の前記係合部１４の形成される先端部位をテーブル２−１、２−２の奥側、つまり図３の矢印Ｂ方向に移動させる。
その後に、前記第１接続部２２の端部に位置する前記補助天板案内用のコロ２６ａを利用して、図４に示す如く、補助天板１２をテーブル２−１、２−２の奥側かつ下方に移動させる。
そして、前記第１接続部２２のコロ２６ａを利用して、補助天板１２を図４の矢印Ｃ方向に引き上げ、補助天板１２の裏面の一端側に設けられる前記係合部１４を前記スライドアーム部８の２本のアーム部１８、２０のいずれか一方に外側方向から係合させる。
また、前記係合部１４を係合させた後には、図５に示す如く、この係合部位を回動中心として補助天板１２の後端部位をテーブル２−１、２−２の手前側、つまり図５の矢印Ｄ方向に回転させ、補助天板１２を配置する。
このとき、補助天板１２を上方向から押圧すれば、前記ロック機構１６のロック部材１６ｄの先端下面部位に形成した傾斜面１６ｃにより、ロック部材１６ｄがスプリング１６ｆの付勢力に抗して押し込まれ、前記スライドアーム部８の２本のアーム部１８、２０のいずれか他方がロック部材１６ｄを通過した際に、スプリング１６ｆの付勢力によって前記ロック部材１６ｄが外側方向に押し出され、このロック部材１６ｄの上面部位に前記スライドアーム部８の２本のアーム部１８、２０のいずれか他方が固定される。
これにより、図６に示す如く、２個のテーブル２−１、２−２間が前記補助天板１２によって一体的に接続される。
なお、前記補助天板１２を２個のテーブル２−１、２−２間に配置する際に、補助天板１２の裏面の一端側に設けられる前記係合部１４と他端側に設けられる前記ロック機構１６とを逆位置として配置するすることも可能である。
【００２６】
また、作業者の立ち位置がテーブル２−１、２−２の奥側の場合には、図４に示す如く、前記補助天板１２の中間部位を前記第１接続部２２のコロ２６ａに接触させ、この第１接続部２２のコロ２６ａを利用して、補助天板１２を図４の矢印Ｃ方向に引き上げ、補助天板１２の裏面の一端側に設けられる前記係合部１４を前記スライドアーム部８の２本のアーム部１８、２０のいずれか一方に外側方向から係合させる方策とすることも可能である。
【００２７】
前記補助天板１２を２個のテーブル２−１、２−２間から取り外す際には、補助天板１２に前記ロック機構１６を取り付けた側、例えば図６のテーブル２−１、２−２の手前側に作業者が立ち、テーブル２−１、２−２の手前側から下方部位から前記本体部１６ａの下面に形成されるスライド移動操作用の長孔部１６ｂを介して、前記ロック部材１６ｄの操作用凹部１６ｅに指先を差し込む。
そして、図１７及び図１８に示す如く、前記スプリング１６ｆの付勢力に抗してロック部材１６ｄを引き込む方向、つまり図１７の矢印Ｅ方向にスライド移動させ、ロック部材１６ｄの上面部位にて固定される前記スライドアーム部８の２本のアーム部１８、２０のいずれか他方とのロックを解除する。
さすれば、前記ロック機構１６のロック解除作業の終了によって、前記係合部１４による係合部位を中心として補助天板１２の手前側を持ち上げることが可能となり、補助天板１２の手前側を持ち上げた後に、前記第１接続部２２の端部に位置する前記補助天板案内用のコロ２６ａを利用して、補助天板１２を奥側に移動させることにより前記係合部１４の係合解除を行うことができ、補助天板１２の取り外しが可能となる。
また、この補助天板１２の取り外しが終了した後には、前記スライドアーム部８を図１２（ｂ）の矢印Ｆ方向に移動させ、前記テーブル２の天板４裏面に前記スライドアーム部８を収納する。
【００２８】
これにより、テーブル２において、テーブル２の天板４裏面に取り付けられるスライドアーム部８と、このスライドアーム部８を天板４外部に引き出しあるいは天板４裏面に収納可能とする支持部１０と、補助天板１２と、この補助天板１２の裏面の一端側に取り付けられる係合部１４と、補助天板１２の裏面の他端側に取り付けられる少なくとも１組のロック機構１６とを備え、前記テーブル２のスライドアーム部８を対峙させて２個のテーブル２−１、２−２を配置した際に、スライドアーム部８を接近するように引き出し、引き出したスライドアーム部８の一端側に前記係合部１４を係合させた後に、スライドアーム部８の他端側を前記ロック機構１６にてロックし、前記補助天板１２を２個のテーブル２−１、２−２間に固定する構造とした。
従って、以下の作用効果を奏することができる。
（１）２個のテーブル２−１、２−２を接続する際の使い勝手を向上し得る。
（２）ロック機構１６によって２個のテーブル２−１、２−２間を補助天板１２により堅固に接続することができるため、接続後の安心性を向上し得る。
（３）構造が簡略であり、コストを低廉とし得る。
【００２９】
また、前記スライドアーム部８は、テーブル２の天板４裏面を天板に対して平行にスライド移動する２本のアーム部１８、２０と、これらのアーム部１８、２０の先端を接続する第１接続部２２と、アーム部１８、２０の後端を接続する第２接続部２４とを備え、前記第１接続部２２の両端に前記補助天板案内用のコロ２６ａ、２６ｂを設けた。
従って、以下の作用効果を奏することができる。
（１）補助天板１２を２個のテーブル２−１、２−２間に配置する際に、コロ２６ａ、２６ｂを利用して補助天板１２を円滑に移動させることができ使い勝手の向上に寄与し得る。
【００３０】
なお、この発明は上述実施例に限定されるものではなく、種々の応用改変が可能である。
【００３１】
例えば、この発明の実施例においては、前記ロック機構を、前記補助天板の裏面の他端側において、例えば２組取り付ける構成としたが、１組の前記ロツク機構を使用する特別構成とすることも可能である。
つまり、前記補助天板の裏面の他端側において、いずれか一方に１組のロック機構を取り付ける。
そして、前記補助天板の裏面の他端側において、いずれか他方には、実施例中にて説明した前記節度機構などの係合手段を取り付ける。
なお、この係合手段としては、実施例中にて説明した球体状の移動子を有するものや係合爪を有するものなど種々考えることが可能であり、公知技術を使用することによって対応である。
さすれば、前記ロック機構を１組とすることで、ロック機構の個数を減少させることができ、コストの低減に寄与し得るとともに、ロック解除操作時のロック解除位置が１箇所となり、片手作業によってロック解除を行うことができ、使い勝手の向上にも寄与し得るものである。
【図面の簡単な説明】
【００３２】
【図１】この発明の実施例を示す２個のテーブルを補助天板にて接続した状態の概略正面図である。
【図２】２個のテーブルを配置した状態の斜視図である。
【図３】２個のテーブル間に補助天板を固定する際の第１の方策を示す斜視図である。
【図４】２個のテーブル間に補助天板を固定する際の第２の方策を示す斜視図である。
【図５】２個のテーブル間に補助天板を固定する状態の斜視図である。
【図６】２個のテーブルを補助天にて接続した状態の斜視である。図である。
【図７】図６のＶＩ−ＶＩ線による概略拡大断面図である。
【図８】スライドアーム部を収納した状態のテーブルを示し、（ａ）はテーブルの平面図、（ｂ）は図８（ａ）のＶＩＩＩ（ｂ）−ＶＩＩＩ（ｂ）線による断面図である。
【図９】スライドアーム部を引き出した状態のテーブルを示し、（ａ）はテーブルの平面図、（ｂ）は図８（ａ）のＩＸ（ｂ）−ＩＸ（ｂ）線による断面図である。
【図１０】スライドアーム部を示し、（ａ）はスライドアーム部の平面図、（ｂ）はスライドアーム部の右側面図、（ｃ）はスライドアーム部の正面図である。
【図１１】スライドアーム部の組立斜視図である。
【図１２】スライドアーム部を示し、（ａ）はスライドアーム部を収納した状態の斜視図、（ｂ）はスライドアーム部を引き出した状態の斜視図である。
【図１３】節度機構の概略断面図である。
【図１４】補助天板を斜め下方から視た状態の斜視図である。
【図１５】補助天板のストッパを斜め下方から視た状態の概略拡大斜視図である。
【図１６】補助天板のロック機構を斜め下方から視た状態の概略拡大斜視図である。
【図１７】ロック時のロック機構を示す斜め下方から視た状態の概略拡大斜視図である。
【図１８】ロック解除時のロック機構を示す斜め下方から視た状態の概略拡大斜視図である。
【図１９】ロック機構の概略断面図である。
【符号の説明】
【００３３】
２、２−１、２−２  テーブル
４  天板
６  脚部
８、８−１、８−２  スライドアーム部
１０  支持部
１２  補助天板
１４  係合部
１６  ロック機構
１６ａ  本体部
１６ｂ  長孔部
１６ｃ  傾斜面
１６ｄ  ロック部材
１６ｅ  操作用凹部
１６ｆ  スプリング
１８、２０  アーム部
２２  第１接続部
２４  第２接続部
２６ａ、２６ｂ  コロ
２８  第１支持部
３０  第２支持部
３２  節度機構
３２−１  本体
３２−２  移動子
３２−３  押圧スプリング
【図１】
2009022687.tif 000003
【図２】
2009022687.tif 000004
【図３】
2009022687.tif 000005
【図４】
2009022687.tif 000006
【図５】
2009022687.tif 000007
【図６】
2009022687.tif 000008
【図７】
2009022687.tif 000009
【図８】
2009022687.tif 000010
【図９】
2009022687.tif 000011
【図１０】
2009022687.tif 000012
【図１１】
2009022687.tif 000013
【図１２】
2009022687.tif 000014
【図１３】
2009022687.tif 000015
【図１４】
2009022687.tif 000016
【図１５】
2009022687.tif 000017
【図１６】
2009022687.tif 000018
【図１７】
2009022687.tif 000019
【図１８】
2009022687.tif 000020
【図１９】
2009022687.tif 000021